(57)【要約】【課題】建設機械に於て、上部旋回体上に載置されるタンク容量を増加させると共に、組み立て性を向上し、且つ、該タンクと該タンクに隣接する他のタンク等の部品の外側面の外観を向上させる。【解決手段】下部走行体２上に上部旋回体１６が搭載され、該上部旋回体１６の一側部にキャビン４が配設されると共に、中央部にブームが俯仰自在に設けられ、且つ、該ブームの先端に作業手段が装着され、更に、前記上部旋回体１６上の外側部にタンク（燃料タンク１７及び作動油タンク１９）が載置される建設機械（油圧ショベル１）に於て、前記タンクの何れか一つの外側面を延設し、該タンクに隣接する部品（作動油タンク１９又は燃料タンク１７）の外側面を被蔽する延設部１８を形成した建設機械を提供する。【選択図】  図１
2004204651.tif 000002
【特許請求の範囲】
【請求項１】
下部走行体上に上部旋回体が搭載され、該上部旋回体の一側部にキャビンが配設されると共に、中央部にブームが俯仰自在に設けられ、且つ、該ブームの先端に作業手段が装着され、更に、前記上部旋回体上の外側部にタンクが載置される建設機械に於て、前記タンクの外側面を延設し、該タンクに隣接する部品の外側面を被蔽する延設部を形成したことを特徴とする建設機械。
【請求項２】
上記延設部は上記隣接する部品の外側面を全面に及んで被蔽するように延設されることを特徴とする請求項１記載の建設機械。
【請求項３】
外側面を延設する上記タンクは燃料タンク又は作動油タンクであり、上記隣接する部品は作動油タンク又は燃料タンクであることを特徴とする請求項１又は２記載の建設機械。
【発明の詳細な説明】
【０００１】
【発明の属する技術分野】
この発明は、建設機械に関するものであり、特に、下部走行体上に上部旋回体が搭載され、該上部旋回体上にタンクが載置される建設機械に於て、タンクの容量を増大すると共に、該タンクと該タンクに隣接する部品の外側面の外観を向上させた建設機械に関するものである。
【０００２】
【従来の技術及び発明が解決しようとする課題】
従来の此種建設機械を図３乃至図５に従って説明する。図３は油圧ショベルの側面図を示し、図４は該油圧ショベルを概念図で示す平面図と側面図である。
【０００３】
図３に於て、１は建設機械である油圧ショベルであり、該油圧ショベル１は下部走行体２に上部旋回体３が旋回自在に搭載されると共に、該上部旋回体３の一側部にキャビン４が配設され、且つ、中央部にブーム５が俯仰自在に設けられ、更に、該ブーム５の先端に図示省略の作業手段としてのアームが回動自在に配設されると共に、該アームの先端にバケットが装着される。
【０００４】
そして、図４に示す如く、前記上部旋回体３上には前記キャビン４に離間して、該上部旋回体３の他側部に略立方体状の燃料タンク６が載置され、該燃料タンク６の後方に隣接して略立方体状の作動油タンク７が配置される。
【０００５】
又、該作動油タンク７の後方に油圧ポンプ８が配設され、該油圧ポンプ８の左方に隣接してエンジン９が設けられている。尚、図に於て１０はカウンタウエイトである。
【０００６】
而して、前記上部旋回体３の右外側部に、前記油圧ポンプ８の右外側面を被蔽するカバー１１と、前記燃料タンク６と前記作動油タンク７の右外側面とを被蔽する一枚のカバー１２又は２枚の連続するカバーが設けられる。このように燃料タンク６と前記作動油タンク７の右外側面を一枚のカバー１２又は連続するカバーで被蔽する構成は既に公開されており（例えば、特許文献１参照。）、該カバー１２によって前記燃料タンク６と前記作動油タンク７の右外側面が同時に被蔽され、該燃料タンク６と作動油タンク７の右外側面との間には外観上、殆ど又は全く隙間がないため、良好な外観を得ることができる。
【０００７】
然しながら、前記上部旋回体３の構成は、前記カバー１２を設けるため、前記燃料タンク６及び前記作動油タンク７の右側方に該カバー１２の設置スペースを必要とし、該設置スペースを確保するため、前記燃料タンク６及び前記作動油タンク７のタンク容量が小さくなる問題があった。
【０００８】
一方、図５は、他の従来例の油圧ショベルを概念図で示す平面図及び側面図であり、図に於て、１３は前記上部旋回体（図４に於て３）に於ける前記カバー（図４に於て１２）を設けない構造にした上部旋回体であり、該上部旋回体１３はカバーを設けないことにより、カバー設置スペースが不要となり、燃料タンク１４及び作動油タンク１５の右外側部の形状を増大することが可能となり、タンク容量を増大できるものである。このように、カバーを設けないことにより、燃料タンク１４と前記作動油タンク１５の容量を増大した構成も既に公開されている（例えば、特許文献２参照。）。
【０００９】
然しながら、前記上部旋回体１３の構成は、カバーを設けないため、前記燃料タンク１４及び前記作動油タンク１５の外側部に於て隙間Ｓ１が発生し、外観上、見栄えが悪いという問題があると共に、組立て上、隙間Ｓ１の調整が必要で、組み立て性が悪化するという問題がある。
【００１０】
そこで、建設機械に於て、上部旋回体上に載置されるタンク容量を増加させると共に、組み立て性を向上し、且つ、該タンクと該タンクに隣接する別のタンク等の部品の外側面の外観を向上させるために解決すべき技術的課題が生じてくるのであり、本発明はこの課題を解決することを目的とする。
【００１１】
【特許文献１】
特開平１０−１８３４７号公報  （第１−７頁、第１−２図）
【００１２】
【特許文献２】
特開平１０−１１４９６８号公報  （第１−７頁、第３−４図）
【００１３】
【課題を解決するための手段】
本発明は上記目的を達成するために提案されたものであり、下部走行体上に上部旋回体が搭載され、該上部旋回体の一側部にキャビンが配設されると共に、中央部にブームが俯仰自在に設けられ、且つ、該ブームの先端に作業手段が装着され、更に、前記上部旋回体上の外側部にタンクが載置される建設機械に於て、前記タンクの外側面を延設し、該タンクに隣接する部品の外側面を被蔽する延設部を形成した建設機械、
及び、上記延設部は上記隣接する部品の外側面を全面に及んで被蔽するように延設される建設機械、
並びに、外側面を延設する上記タンクは燃料タンク又は作動油タンクであり、上記隣接する部品は作動油タンク又は燃料タンクである建設機械を提供するものである。
【００１４】
【発明の実施の形態】
以下、本発明の一実施の形態を図１及び図２に従って詳述する。尚、説明の都合上、従来例と同一構成部分については同一符号を付してその説明を省略する。図１は油圧ショベルの概念図で示す平面図と側面図であり、図２は該油圧ショベルの燃料タンクを示す。
【００１５】
図１及び図２に於いて、１６は上部旋回体であり、該上部旋回体１６は従来例の燃料タンク（図４に於て６、又は、図５に於て１４）に代えて略立方体形状の燃料タンク１７を設けたものであり、該燃料タンク１７は、略立方体形状に形成されると共に、該燃料タンク１７の右外側面が後方に延設され、該燃料タンク１７の後方に隣接する略立方体形状の作動油タンク１９の右外側面を全面に及んで被蔽する延設部１８が形成されている。尚、該燃料タンク１７の右外側面及び該延設部１８は外観上のデザインの目的で断面視略円弧状にやや湾曲して形成されている。
【００１６】
従って、該延設部１８は前記燃料タンク１７の右外側面から連続して前記作動油タンク１９の右外側面を被うことにより、該燃料タンク１７と該作動油タンク１９の右外側面、及び、該燃料タンク１７と該作動油タンク１９間の右外側面の隙間Ｓ２を被蔽することになり、該燃料タンク１７と該作動油タンク１９の右外側面の外観を向上させることができると共に、前記燃料タンク１７と前記作動油タンク１９間の隙間Ｓ２が被蔽されることにより、該隙間Ｓ２の調整も厳密な正確性が要求されないため組み立てが容易となる。
【００１７】
又、前記上部旋回体１６は、従来例の上部旋回体（図４に於て３）に比較して、従来例のカバー（図４に於て１２）を必要としないため、該カバーの設置スペースが不要となり、その分、前記燃料タンク１７のタンク容量を増大させることができると共に、組み立て性が向上し、且つ、コストダウンを図ることができる。
【００１８】
尚、前記作動油タンク１９のタンク容量は従来例の作動油タンク（図４に於て７）と比較して増大することはない。
上記実施形態に於ては、燃料タンク１７の外側面を延設させた場合について説明したが、作動油タンク１９の外側面を延設しても良く、本発明は、本発明の精神を逸脱しない限り種々の改変を為すことができ、そして、本発明が該改変されたものに及ぶことは当然である。
【００１９】
【発明の効果】
本発明は上記一実施の形態に詳述したように、請求項１記載の発明は、建設機械に於て、タンクの外側面を延設し、該タンクに隣接する部品の外側面を被蔽する延設部を形成したので、該燃料タンクと該部品の右外側面、及び、該燃料タンクと該部品間の右外側面の隙間を被蔽することになり、該燃料タンクと該部品の右外側面の外観を向上させることができると共に、タンクの容量を増加させることが可能となり、且つ、組立て性も向上する。
【００２０】
又、請求項２記載の発明は、上記延設部は上記隣接する部品の外側面を全面に及んで被蔽するように延設されるので、請求項１記載の発明の効果に加え、該隣接する部品の外側面を完全に被蔽でき、外観を更に向上させることができる。
【００２１】
更に、請求項３記載の発明は、外側面を延設する上記タンクが燃料タンク又は作動油タンクであり、上記隣接する部品が作動油タンク又は燃料タンクであるので、請求項１又は２記載の発明の効果に加え、該作動油タンクと燃料タンクの外側面の外観を向上させることができる等、正に著大なる効果を奏する発明である。
【図面の簡単な説明】
【図１】（ａ）本発明の一実施の形態を示し、油圧ショベルの平面概念図。
（ｂ）本発明の一実施の形態を示し、油圧ショベルの側面概念図。
【図２】図１に示す燃料タンクの斜視図。
【図３】従来例を示し、油圧ショベルの側面図。
【図４】（ａ）従来例を示し、油圧ショベルの平面概念図。
（ｂ）従来例を示し、油圧ショベルの側面概念図。
【図５】（ａ）他の従来例を示し、油圧ショベルの平面概念図。
（ｂ）他の従来例を示し、油圧ショベルの側面概念図。
【符号の説明】
２          下部走行体
３          上部旋回体
１８          延設部
【図１】
2004204651.tif 000003
【図２】
2004204651.tif 000004
【図３】
2004204651.tif 000005
【図４】
2004204651.tif 000006
【図５】
2004204651.tif 000007